(57)【要約】【課題】簡便かつ確実に脱水を行うことができるモップ脱水装置を提供する。【解決手段】モップ脱水装置は、第１の空間と、第１の空間に連通した第２の空間と、第１の空間内に配置された脱水槽１３と、脱水制御ユニット１４とを含む。脱水槽１３は、複数の排水孔１３１を有する。脱水制御ユニット１４は、台座１４１と、ペダル１４２と、伝動ベース１４３と、伝動ベース１４３上に配置された連結部１４４と、連結部１４４に接続された第１の歯車１４５と、第１の歯車１４５に接続された第２の歯車１４６と、台座１４１に配置された一方の端部と、脱水槽１３の底部に固定された他方の端部と、を有する伝動部材と、伝動部材の端部に外嵌し、第２の歯車１４６に接続された一方向回転軸受１４７とを有する。【選択図】図１
0003151944.tif 000002
【実用新案登録請求の範囲】
【請求項１】
第１の空間と、前記第１の空間に連通した第２の空間と、前記第１の空間内に配置された脱水槽と、脱水制御ユニットと、を含み、前記脱水槽は、前記第１の空間および前記第２の空間内に水分を排出させるために用いる複数の排水孔を有するモップ脱水装置であって、
前記脱水制御ユニットは、
台座と、
ペダルと、
前記台座上に配置され、前記ペダルの移動に伴い変位し、弾性部材により前記ペダルとともに動作前の位置に戻される伝動ベースと、
前記伝動ベース上に配置された連結部と、
前記連結部に接続された第１の歯車と、
前記第１の歯車に接続された第２の歯車と、
前記台座に配置された一方の端部と、前記脱水槽の底部に固定された他方の端部と、を有する伝動部材と、
前記伝動部材の端部に外嵌し、前記第２の歯車に接続された一方向回転軸受と、を有することを特徴とするモップ脱水装置。
【請求項２】
前記弾性部材は、前記伝動ベースに接続された一方の端部と、前記台座上の凸面に接続された他方の端部と、を有することを特徴とする請求項１に記載のモップ脱水装置。
【請求項３】
前記伝動部材上には、前記第１の空間の底部に固定された固定部材が外嵌されていることを特徴とする請求項１に記載のモップ脱水装置。
【請求項４】
前記固定部材は軸受であることを特徴とする請求項３に記載のモップ脱水装置。
【考案の詳細な説明】
【技術分野】
【０００１】
本考案は、モップ脱水装置に関し、特に、簡便かつ確実に脱水を行うモップ脱水装置に関する。
【背景技術】
【０００２】
従来の湿式モップは、モップ頭部の種類に応じてスポンジ型および刷毛型の２種類に大きく分けられる。スポンジ型モップの頭部にはスポンジが挟まれた除水装置が装着されているため、脱水を簡便に行うことができるが、スポンジの拡張範囲には限界があるため、床を清掃するとき、きれいにすることができない死角が発生することがあった。また、刷毛型モップ頭部は、布、綿など、吸水が可能な柔らかくて長尺状のものであれば如何なるものでも刷毛の材料として使用することができる上、刷毛が変形して拡張することができるため、清掃が容易で、死角の場所もきれいにすることができるという長所を有するが、刷毛モップ頭は除水が面倒であることが短所であった。
【０００３】
従来の刷毛を備えるモップ頭は、手作業でモップの水分を絞らなければならなかったため、容易でない上に衛生的でなかった。そのため、プラスチック製の籠状の除水装置を利用し、刷毛を備えたモップ頭部をプラスチック籠へ入れて回転させることにより絞っていた。しかし、この方式では、絞った後でも刷毛に大量の水分が残る上、バケツの縁にプラスチック籠が配置されているため、刷毛を絞るときに力が均等に加わらなかったり、力が大きすぎてバケツをひっくり返してしまう虞があり実用的でなかった。
【０００４】
そのため、簡便かつ確実に脱水を行うことができるモップ脱水装置が求められていた。
【考案の概要】
【考案が解決しようとする課題】
【０００５】
本考案の目的は、簡便かつ確実に脱水を行うことができるモップ脱水装置を提供することにある。
【課題を解決するための手段】
【０００６】
上記課題を解決するために、本考案の第１の形態によれば、第１の空間と、前記第１の空間に連通した第２の空間と、前記第１の空間内に配置された脱水槽と、脱水制御ユニットと、を含み、前記脱水槽は、前記第１の空間および前記第２の空間内に水分を排出させるために用いる複数の排水孔を有するモップ脱水装置であって、前記脱水制御ユニットは、台座と、ペダルと、前記台座上に配置され、前記ペダルの移動に伴い変位し、弾性部材により前記ペダルとともに動作前の位置に戻される伝動ベースと、前記伝動ベース上に配置された連結部と、前記連結部に接続された第１の歯車と、前記第１の歯車に接続された第２の歯車と、前記台座に配置された一方の端部と、前記脱水槽の底部に固定された他方の端部と、を有する伝動部材と、前記伝動部材の端部に外嵌し、前記第２の歯車に接続された一方向回転軸受と、を有することを特徴とするモップ脱水装置が提供される。
【０００７】
また、前記弾性部材は、前記伝動ベースに接続された一方の端部と、前記台座上の凸面に接続された他方の端部と、を有することが好ましい。
【０００８】
また、前記伝動部材上には、前記第１の空間の底部に固定された固定部材が外嵌されていることが好ましい。
【０００９】
また、前記固定部材は軸受であることが好ましい。
【考案の効果】
【００１０】
本考案のモップ脱水装置によれば、簡便かつ確実に脱水を行うことができる。
【図面の簡単な説明】
【００１１】
【図１】本考案の一実施形態によるモップ脱水装置の内部構造を示す分解斜視図である。
【図２】本考案の一実施形態によるモップ脱水装置を示す断面図である。
【図３】本考案の一実施形態によるモップ脱水装置を組み立てたときの状態を示す斜視図である。
【図４】本考案の一実施形態によるモップ脱水装置を作動させるときの状態を示す斜視図である。
【図５】本考案の一実施形態によるモップ脱水装置を作動させるときの状態を示す斜視図である。
【考案を実施するための形態】
【００１２】
以下、本考案の実施形態について図に基づいて説明する。なお、これによって本考案が限定されるものではない。
【００１３】
図１〜図３を参照する。図１〜図３に示すように、本考案の一実施形態によるモップ脱水装置は、主に脱水槽１３および脱水制御ユニット１４を含む。脱水制御ユニット１４は、主に台座１４１、ペダル１４２、伝動ベース１４３、連結部１４４、第１の歯車１４５、第２の歯車１４６、一方向回転軸受１４７、伝動部材１４８および弾性部材１４９を含む。伝動ベース１４３は、台座１４１上に配置され、ペダル１４２の移動に伴い変位し、伝動ベース１４３およびペダルが弾性部材１４９により動作前の位置に戻される。弾性部材１４９は、一方の端部が伝動ベース１４３に接続され、他方の端部が台座１４１上に設けられた凸面１４１１に接続されている。そのため、ペダル１４２が押下されると、伝動ベース１４３の前進に伴いペダル１４２が前に移動して変位し、弾性部材１４９と凸面１４１１とが接続された位置が変化せずに、伝動ベース１４３の前方への移動に伴い弾性部材１４９が伸び、ペダル１４２を押下する力が失われる。その後、弾性部材１４９の回復弾力により伝動ベース１４３が元の位置に戻るとともに、押下される以前の元の位置にペダル１４２が戻される。連結部１４４は、伝動ベース１４３上に配置され、第２の歯車１４６に接続された第１の歯車１４５と接続されている。伝動部材１４８は、一方の端部が台座１４１上に接続され、他方の端部が脱水槽１３の底部に固定されている。一方向回転軸受１４７は、伝動部材１４８の端部に外嵌され、第２の歯車１４６に接触されている。
【００１４】
また、伝動部材１４８の回転に伴い脱水槽１３も回転されるため、伝動部材１４８および脱水槽１３の位置決めを台座１４１だけで行う構造は安定性が劣り、伝動部材１４８が回転するときに左右に揺れることを防ぐことができる。そのため、伝動部材１４８上に固定部材１５０を外嵌して第１の空間（図示せず）の底部に固定部材１５０を固定させることにより、構造の安定性を向上させることができる。また、伝動部材１４８上に外嵌されている固定部材１５０は軸受であるため、伝動部材１４８の回転には悪影響を与えない。
【００１５】
図４および図５に示すように、本考案の一実施形態によるモップ脱水装置１０は、主に第１の空間（図示せず）と、第１の空間に連通した第２の空間１１と、第１の空間内に配置された脱水槽１３と、脱水制御ユニット１４と、を含む。脱水槽１３は、第１の空間（図示せず）および第２の空間へ水分を排出させるために用いる複数の排水孔１３１を有する。モップ２０の脱水を行う際は、まず、脱水槽１３内にモップ２０を置いてから、脱水制御ユニット１４の脱水槽１３の回転によりモップ２０を回転させ、脱水槽１３内にあるモップ２０の脱水を回転押出方式で行う。そして、モップ２０から取り出された水分を脱水槽１３の縁に設けられた複数の排水孔１３１から第１の空間（図示せず）内へ排出し、第１の空間（図示せず）に連通した第２の空間１１内へ水を排出して一時的に溜めておくことにより、モップ脱水装置１０の貯水量を多くすることができる。ユーザがモップの脱水を行う際は、脱水槽１３内にモップ２０を置いてから、ペダル１４２を足で踏む。これにより、ペダル１４２から押下の力を受けた伝動ベース１４３が前方へ移動して変位する。伝動ベース１４３に接続された連結部１４４により、第１の歯車１４５、第２の歯車１４６、一方向回転軸受１４７および伝動部材１４８を順次回転させる。そして、伝動ベース１４３が元の位置に戻るときに連結部１４４が第１の歯車１４５および第２の歯車１４６を逆回転させても、一方向回転軸受１４７は反対方向に回転せずに一方向にしか回転しないため、伝動部材１４８も同様に反対方向には回転しない。このように、伝動部材１４８を回転させることにより脱水槽１３を高速で回転させ、モップ２０の水を絞ることができる。
【００１６】
ユーザがペダル１４２から足を離すと、伸びた弾性部材１４９の回復弾力がペダル１４２および伝動ベース１４３を元の位置に戻し、ユーザが再びペダル１４２を踏むと、モップ２０に対する回転押出の力を増大させてモップ２０内の水分を再び押出して排出させることを何回か繰り返す。これにより、モップ２０の脱水を完全に行うことができる。本実施形態のモップ脱水装置１０は、一般に足の力が手の力よりも大きいという利点を利用しているため、モップ２０を手で絞って乾かすよりも優れた脱水効果を得ることができる。このように、本実施形態のモップ脱水装置は、手を汚さずに簡便かつ効率的に脱水を行うことができるため非常に実用的である。
【００１７】
従来、モップを洗浄する際、一般に水のある場所に行って洗浄を行うかバケツを清掃を行う場所近くまで持っていかなければならない上、一般のバケツは脱水機能を備えていなかったため、ユーザは両手を使って絞らなければならなかった。そのため、脱水効果が悪い上に、両手を汚してしまうことがあった。本実施形態は、第２の空間１１により清潔な水を溜めることができるため、ユーザがモップを清潔な水で洗浄する際、第２の空間１１中で洗浄し、上述の方式によりモップの脱水を行うことができる。そのため、水のある場所へわざわざ行って洗浄を行わなくてもモップを使用し続けることができる。このように、モップの使用効率を向上させることができる。
【００１８】
さらに、モップ脱水装置１０内の水を交換する際、モップを水のある場所まで運んだり、水のある場所から清掃を行う場所まで運んだりすることが簡便に行えるように、モップ脱水装置１０へさらにハンドル１２を加えてもよい。
【００１９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２０】
１０      モップ脱水装置
１１      第２の空間
１２      ハンドル
１３      脱水槽
１３１    排水孔
１４      脱水制御ユニット
１４１    台座
１４１１  凸面
１４２    ペダル
１４３    伝動ベース
１４４    連結部
１４５    第１の歯車
１４６    第２の歯車
１４７    一方向回転軸受
１４８    伝動部材
１４９    弾性部材
１５０    固定部材
２０      モップ
【図１】
0003151944.tif 000003
【図２】
0003151944.tif 000004
【図３】
0003151944.tif 000005
【図４】
0003151944.tif 000006
【図５】
0003151944.tif 000007